(57)【要約】【課題】  スキャナを緩衝材を介して画像形成装置に一体的に組込む際に、原稿押さえカバーとＡＤＦとを付け替えた時に、緩衝材の歪みの差により画像装置内でスキャナ高さに違いを生じるのを防止して、スキャナの振動防止、ＡＤＦのスムースな原稿送りを行う。【解決手段】  スキャナ６ｃの荷重が大きい左リア側８１ｃに上ブラケット７３に対して垂直方向にスライド可能な下ブラケット７４を有する調整ブラケット７２を設け、ブラケット７３と下ブラケット７４の密着あるいは離間を、離間ネジ７７のネジ止め位置を変えるのみで操作して、原稿押さえカバー７０あるいはＡＤＦ８６のいずれを装着するかによりハウジング７内での調整ブラケット７２による筐体８１の支持高さを調整する。【選択図】図６
2005123777.tif 000002
【特許請求の範囲】
【請求項１】
筐体上部に原稿を載置する原稿台を有し、前記原稿から反射される光画像情報を検知して前記原稿画像を読取るスキャナと、
前記筐体を囲う支持部材と、
前記筐体の荷重を支持する位置にて前記筐体及び前記支持部材の間に介在して前記支持部材から前記筐体への振動の伝達を防止する複数の緩衝材と、
前記筐体に取着され前記支持部材に対する前記筐体の支持高さを調整可能とし前記緩衝材を支持する少なくとも１つの調整ブラケットとを具備することを特徴とする高さ調整式画像読取装置。
【請求項２】
前記筐体には、前記原稿台を覆う原稿押さえカバーあるいは前記原稿台に前記原稿を供給する自動原稿送り装置が交換可能に装着され、
前記筐体に前記原稿押さえカバーを装着する場合には前記調整ブラケットは、前記緩衝材に対して前記筐体を低く支持し、前記筐体に前記自動原稿送り装置を装着する場合には前記調整ブラケットは、前記緩衝材に対して前記筐体を高く支持することを特徴とする請求項１記載の高さ調整式画像読取装置。
【請求項３】
前記調整ブラケットは、前記複数の緩衝材のうち、前記筐体に前記原稿押さえカバーを装着した場合に、少なくとも前記筐体の荷重が最大にかかる位置にて前記筐体の支持高さを調整することを特徴とする請求項２記載の高さ調整式画像読取装置。
【請求項４】
前記調整ブラケットは、前記筐体に固着される固定部及び前記固定部下方にて前記固定部に対して垂直方向にスライド可能に取着される可動部を有し、前記緩衝材は前記可動部に取付けられることを特徴とする請求項１乃至請求項３のいずれか記載の高さ調整式画像読取装置。
【請求項５】
前記調整ブラケットは、前記固定部底面と前記可動部上面とが接触した状態から、前記筐体の荷重に抗して前記固定部底面と前記可動部上面とを離間させる離間部材を有することを特徴とする請求項４記載の高さ調整式画像読取装置。
【請求項６】
前記離間部材は、前記固定部にネジ止めされ、先端を前記可動部上面に当接して前記固定部に対して前記可動部を押し下げる離間ネジであることを特徴とする請求項５記載の高さ調整式画像読取装置。
【請求項７】
前記離間部材は、前記固定部底面と前記可動部上面とを離間させる付勢力を有する付勢部材であり、前記固定部と前記可動部とを接触して止める接触ネジを外して前記固定部底面と前記可動部上面とを離間させることを特徴とする請求項５記載の高さ調整式画像読取装置。
【請求項８】
前記離間部材は、前記固定部と前記可動部の間に挿通されるスペーサであることを特徴とする請求項５記載の高さ調整式画像読取装置。
【発明の詳細な説明】
【技術分野】
【０００１】
本発明は、複写機、プリンタ、ファクシミリ等の画像形成装置に一体的に組込まれ、原稿画像を読取る画像読取装置に関する。
【背景技術】
【０００２】
近年、コピー機やプリンタあるいはこれらに更にファックス機能を一体的に組み込み現像画像形成部を共有するカラーＭｕｌｔｉｆｕｎｃｔｉｏｎ  Ｐｅｒｉｐｈｅｒａｌ（以下ＭＦＰと略称する。）等に、原稿台上の原稿に光を照射して、原稿から反射される光り画像情報を検知して原稿画像を読取るスキャナをハウジング内に一体的に組込む画像形成装置が多用されている。この原稿台上の原稿からの反射光を検知して原稿画像を読取るスキャナにあっては、読取精度の低下を防止するために、スキャナに外部の振動が伝達するのを防止する必要がある。従来、スキャナへの振動の伝達を防止する対策としては、防振ゴムを用いてスキャナを支持する装置がある。（例えば特許文献１参照。）
【特許文献１】特開平１１−３５５４７９号公報明細書（第６、８頁、図２、図９）  （特許文献１）の装置は、画像読取装置１０の、ラインＣＣＤ１１６を収納する支持フレーム４５を防振ゴム体１４４を有する防振部材１４２を用いてハウジング１３０に取付けて、床面等からの振動の伝達を防止している。
【０００３】
しかしながら（特許文献１）の装置のゴム系の防振部材では、歩行による設置場所の床面からの振動や、画像読取装置自身の動作による振動が支持フレームに伝達されるのを防止するものであり、画像形成部やプリンタ部等を有する画像形成装置のハウジング内部に一体的に組み込まれるスキャナに、画像形成部やプリンタ部等で発生される振動や衝撃が伝達されるのを防止するものでは無い。このため、近年スキャナ周囲と、スキャナを支持する画像形成装置のハウジングとの間に例えばゲル状の緩衝材を介在して、画像形成部やプリンタ部等で発生される振動や衝撃がスキャナに伝達されるのを防止する装置の開発が進められている。
【０００４】
一方、スキャナには、原稿台を覆う原稿押さえカバーあるいは原稿台に原稿を供給する自動原稿送り装置のいずれかをオプションで選択可能とされるものがある。原稿押さえカバーあるいは自動原稿送り装置のいずれかを選択可能なスキャナを画像形成装置に一体的に組み込んだ場合、スキャナにかかる重量の違いにより、スキャナを支持する緩衝材の歪み量が異なる。
【０００５】
このため緩衝材の緩衝力の基準を原稿押さえカバーに合わせておくと、重量の大きい自動原稿送り装置に交換した場合に、緩衝材の歪み量が大きくなる。この結果、スキャナが画像形成装置のハウジング内で著しく沈み込む事により、スキャナ底面が画像形成装置のハウジングに触れスキャナに振動を伝えるおそれがあり、更にはスキャナ上面の原稿台面とハウジングの上面との段差が大きくなってしまい原稿送りに支障を来たすおそれがある。
【０００６】
一方緩衝材の緩衝力の基準を自動原稿送り装置に合わせておくと、軽量の原稿押さえカバーに交換した場合にハウジングに対してスキャナの沈み量が少なく、スキャナ上面の原稿台面とハウジング上面との段差を適量に保てず、ハウジングの上面側からスキャナに振動が伝わってしまうおそれも生じる。
【発明の開示】
【発明が解決しようとする課題】
【０００７】
そこで本発明は上記課題を解決するものであり、オプションで原稿押さえカバーあるいは自動原稿送り装置のいずれかを選択可能なスキャナを画像形成装置内に一体的に組込む場合に、原稿押さえカバーあるいは自動原稿送り装置のいずれをスキャナに装着しても、画像形成装置内におけるスキャナの取付け高さが変動されることなく、スキャナ上面の原稿台面とハウジング上面との段差を一定に保持し、自動原稿送り装置による原稿送りに支障を来たすことなく又、緩衝材により画像形成装置の画像形成部やプリンタ部等で発生される振動や衝撃がスキャナに伝達されるのを効果的に防止し、高精度に原稿読取を行う高さ調整式画像形成装置を提供する事を目的とする。
【課題を解決するための手段】
【０００８】
本発明は上記課題を解決するための手段として、筐体上部に原稿を載置する原稿台を有し、前記原稿から反射される光画像情報を検知して前記原稿画像を読取るスキャナと、前記筐体を囲う支持部材と、前記筐体の荷重を支持する位置にて前記筐体及び前記支持部材の間に介在して前記支持部材から前記筐体への振動の伝達を防止する複数の緩衝材と、前記筐体に取着され前記支持部材に対する前記筐体の支持高さを調整可能とし前記緩衝材を支持する少なくとも１つの調整ブラケットとを設けるものである。
【発明の効果】
【０００９】
本発明によれば、スキャナに原稿押さえカバーあるいは自動原稿送り装置のいずれを選択して装着した場合であっても、支持部材に対するスキャナ上面の高さを一定の高さに保持出来る。従って、支持部材側の振動や衝撃がスキャナに伝達されるのを緩衝材により確実に防止出来原稿画像を高精度に読取ることが出来る。また自動原稿送り装置によるスムースな原稿送りを可能とし信頼性向上を得られる。
【発明を実施するための最良の形態】
【００１０】
本発明はスキャナに原稿押さえカバーあるいは自動原稿送り装置のいずれを選択するかに応じて、調整ブラケットの高さ調整を行ない、支持部材に対するスキャナ上面の高さを一定の高さに保持する。
【実施例１】
【００１１】
図１乃至図１０は、本発明の１実施例を示し、図１はスキャナ６ｃを支持部材であるハウジング７上方に一体的に組み込んでなるカラープリンタ画像形成装置６の全体を示す概略構成図である。画像形成装置６のハウジング７内下方には、プリンタ部６ａと、プリンタ部６ａ方向に記録媒体である記録紙を供給する給紙部６ｂを有している。給紙部６ｂは、給紙カセット８ａ、８ｂから記録紙Ｐを取り出し、搬送路８ｃに沿って、記録紙Ｐをレジストローラ２４方向に給紙する。
【００１２】
プリンタ部６ａの、感光体ドラム１０周囲には、感光体ドラム１０の矢印ｓの回転方向に従い順次感光体ドラム１０を一様に帯電する帯電装置１２、帯電された感光体ドラム１０にスキャナ６ｃからの画像データに基づき感光体ドラム１０上に潜像を形成するレーザ露光装置１３、ブラック現像装置１４、イエロー（Ｙ）現像器１６、マゼンタ（Ｍ）現像器１７、シアン（Ｃ）現像器１８を搭載するリボルバ型現像ユニット６０を有している。
【００１３】
更に感光体ドラム１０周囲には、駆動ローラ３１、従動ローラ３２及びテンションローラ３３により張架され、一次転写ローラ３８位置にて感光体ドラム１０上のトナー画像を一次転写される転写ベルト２１を有する転写ベルト装置２６及びクリーナ装置２２が配置されている。転写ベルト２１の二次転写位置には転写ベルト２１に重ねられた複数色のトナー画像を記録紙Ｐに二次転写する二次転写ローラ２８が対向配置される。転写ベルト２１は、ベルトクリーニング装置３７を有する。
【００１４】
又プリンタ部６ａは、二次転写ローラ２８にてトナー像を転写された記録紙Ｐの定着を行う定着装置３０、定着後記録紙Ｐを排紙部２４に排出する排紙ローラ２４ａ、両面画像形成時に記録紙Ｐを反転する反転搬送装置２５を有している。
【００１５】
スキャナ６ｃは筐体８１上面に原稿を載置する原稿台８０を有し、更に図１及び図２に示すように原稿台８０を覆う原稿押さえカバー７０あるいは原稿台８０に原稿を供給する自動原稿送り装置（以下ＡＤＦと略称する。）８６のいずれかをオプションで選択可能とされる。筐体８１内には、露光ランプ８２ａ及びミラー８２ｂを有する光学系ユニット８２、光学系ユニット８２に導かれる原稿Ｄからの反射光を集光する集光レンズ８３、４ラインＣＣＤセンサ８４が設けられる。４ラインＣＣＤセンサ８４から出力される電気信号は、図示しない画像処理装置にてデジタル信号に変換後適宜にデータ処理され、レーザ露光装置１３に供給される。レーザ露光装置１３は、入力される電気信号に応じてレーザビームを発振する。
【００１６】
筐体８１は、ハウジング７の排紙部２４上方部分のスキャナ支持フレーム７ｃ内に収納される。筐体８１は、ゲル状の緩衝材である第１乃至第４のシリコン緩衝材８７ａ、８７ｂ、８７ｃ、８７ｄを介してスキャナ支持フレーム７ｃに支持される。第１のシリコン緩衝材８７ａは、筐体８１底面及びスキャナ支持フレーム７ｃに設けられる取付け板７１ａにネジ止めされる。第２及び第４のシリコン緩衝材８７ｂ、８７ｄは、筐体８１側面に形成されるブラケット８８ｂ、８８ｄ及びスキャナ支持フレーム７ｃに設けられる取付け板７１ｂ、７１ｄにネジ止めされる。筐体８１の左リア側の第３のシリコン緩衝材８７ｃは、筐体８１側面に形成される調整ブラケット７２及びスキャナ支持フレーム７ｃに設けられる取付け板（図示せず）にネジ止めされる。
【００１７】
第１乃至第４のシリコン緩衝材８７ａ、８７ｂ、８７ｃ、８７ｄは筐体８１静止時の荷重バランス、及び原稿押さえカバー７０あるいはＡＤＦ８６を開放時の荷重バランスを考慮して、夫々の硬度が調整されている。図４において、筐体８１の左リア側８１ｃには光学系ユニット８２のモータ（図示せず）が配置されていること又、ＡＤＦ８６の左側の荷重が大きいことから、スキャナ６ｃにＡＤＦ８６を装着した場合、筐体８１底面にかかる荷重のバランスは、左リア側８１ｃの荷重が特に大きくなる。従って、仮に筐体８１の高さ調整をせずに、単に原稿押さえカバー７０あるいはＡＤＦ８６を付け替えると、特に左リア側８１ｃにおいて、筐体８１上面とスキャナ支持フレーム７ｃの周縁との段差に大きな違いを生じることとなる。
【００１８】
更に筐体８１の側面にはスキャナ支持フレーム７ｃからの振動伝達を防止する平板状の第５のシリコン緩衝材８７ｅが取着される。又、筐体８１上面周縁は、板状の第６のシリコン緩衝材８７ｆを介してスキャナ支持フレーム７ｃに支持される。第６のシリコン緩衝材８７ｆは両面接着テープにより筐体８１上面及びスキャナ支持フレーム７ｃに取着されている。更にスキャナ支持フレーム７ｃには、第１乃至第４のシリコン緩衝材８７ａ、８７ｂ、８７ｃ、８７ｄの負荷による撓み量を軽減するための補助緩衝材である板状のシリコン補助緩衝材９０が取着されている。
【００１９】
次にＡＤＦ８６を装着した場合に、特に筐体８１底面にかかる荷重が大きくなる筐体８１の左リア側の、第３のシリコン緩衝材８７ｃが取付けられる調整ブラケット７２について詳述する。図５乃至図１０に示すように、調整ブラケット７２は筐体８１側面に固着される固定部である上ブラケット７３と、上ブラケット７３に取付けられ垂直方向にスライドされる可動部である下ブラケット７４からなっている。上ブラケット７３側面には長孔７３ａが形成され、下ブラケット７４に取着される段付きネジ７６が長孔７３ａをスライドする事により下ブラケット７４は、上ブラケット７３に対する垂直方向のスライドをガイドされる。
【００２０】
上ブラケット７３上面には第１及び第２のネジ穴７３ｂ、７３ｃが形成される。したブラケット７４の第２のネジ穴７３ｃと重なる位置には第３のネジ穴７４ａが形成される。第１、第２、第３のネジ穴７３ｂ、７３ｃ、７４ａは、離間部材である離間ネジ７７がネジ止め可能となっている。図９に示すように上ブラケット７３及び下ブラケット７４を密着させて、第２及び第３のネジ穴７３ｃ、７４ａを合致させて離間ネジ７７でネジ止めする事により、第３のシリコン緩衝材８７ｃに対して調整ブラケット７２に支持される筐体８１の高さは低くなる。
【００２１】
一方、図１０に示すように上ブラケット７３の第１のネジ穴７３ｂに離間ネジ７７をネジ止めすると、離間ネジ７７の先端７７ａは、下ブラケット７４の上面に当接して、上ブラケット７３と下ブラケット７４とを離間するよう下ブラケット７４を押し下げ、上ブラケット７３に対して下ブラケット７４を下方にスライドする。これにより第３のシリコン緩衝材８７ｃに対して調整ブラケット７２に支持される筐体の高さは高くなる。例えば、原稿押さえカバー７０の重量が１．５ｋｇ、ＡＤＦ８６の重量が１５ｋｇであるとすると、調整ブラケット７２は、離間ネジ７７により上ブラケット７３と下ブラケット７４とを約３mm離間するようになっていて、スキャナ６ｃに原稿押さえカバー７０を取着した場合に比し、スキャナ６cにＡＤＦ８６を取付けた場合には、調整ブラケット７２によりスキャナを約３ｍｍ高く支持するようになっている。
【００２２】
次に画像形成装置６による画像形成プロセス及び調整ブラケット７２の調整操作について説明する。画像形成装置６のスキャナ６ｃのオプションとして原稿押さえカバー７０を選択した場合、スキャナ６ｃの左リア側を支持するため筐体８１に取着される調整ブラケット７２は、第２及び第３のネジ穴７３ｃ、７４ａを合致させて離間ネジ７７でネジ止めしてあり、上ブラケット７３と下ブラケット７４が密着され、筐体８１を低く支持して、筐体８１上面の原稿台８０と、筐体８１周縁のスキャナ支持フレーム７ｃとの段差を適量保持する。
【００２３】
一方、画像形成装置６のスキャナ６ｃのオプションとしてＡＤＦ８６を選択した場合、調整ブラケット７２の離間ネジ７７を第２及び第３のネジ穴７３ｃ、７４ａから外して、上ブラケット７３の第１のネジ穴７３ｂに止め直す。これにより、上ブラケット７３に対して下ブラケット７４は離間ネジ７７が当接されて約３ｍｍ押し下げられる。この時筐体８１は、原稿押さえカバー７０取着時に比し調整ブラケット７２による支持高さは３mm高くなる。
【００２４】
但し、実際には、ＡＤＦ８６の重量により第３のシリコン緩衝材８７ｃの撓み量が、原稿押さえカバー７０取着時に比し約３ｍｍ多くなるので、ハウジング７内におけるスキャナ６ｃの高さは原稿押さえカバー７０取着時と同じになり、筐体８１上面の原稿台８０と、筐体８１周縁のスキャナ支持フレーム７ｃとの段差を適量に保持する。尚、原稿押さえカバー７０に比し、ＡＤＦ８６の重量は全体的に重くなるが、左リア側以外においては、各緩衝材８７ａ、８７ｂ、８７ｄにより充分支持可能な重量差であり、原稿押さえカバー７０あるいはＡＤＦ８６のいずれであっても、スキャナ６ｃの高さの変動はほぼ問題とならない。
【００２５】
このようにスキャナ６ｃに原稿押さえカバー７０あるいはＡＤＦ８６を取着した画像形成装置６にて画像形成操作を開始し、原稿押さえカバー７０の場合にはマニュアルで原稿台８０上に原稿Ｄを載置し、あるいはＡＤＦ８６により原稿台８０上に原稿Ｄが供給される。ＡＤＦ８６使用時、原稿台８０と筐体８１周縁のスキャナ支持フレーム７ｃとの段差が適量に保持されることから、原稿Ｄはジャムを生じることなく、原稿台８０上にスムースに載置される。スキャナ６ｃは、原稿台８０上の原稿Ｄからの反射光を４ラインＣＣＤセンサ８４で読取り電気信号に変換し、画像処理装置（図示せず）に入力する。
【００２６】
プリンタ部６ａでは感光体ドラム１０が矢印ｓ方向に回転し、その回転に従い帯電装置１２により一様に帯電され、レーザ露光装置１３により原稿Ｄのブラック画像信号に応じたレーザ光を照射され感光体ドラム１０上にブラックの静電潜像が形成され、更に転写ベルト２１上に一次転写される。この後感光体ドラム１０は、クリーナ２２により残留トナーをクリーニングされる。
【００２７】
次いで、各トナー画像の色毎に、ブラック（ＢＫ）のトナー画像形成プロセスと同様に、リボルバ型現像ユニット６０の矢印ｔ方向への回転／停止を繰り返して、順次シアン（Ｃ）、マゼンタ（Ｍ）、イエロー（Ｙ）のトナー画像形成プロセスを繰り返して、転写ベルト２１上の同一位置に複数色のトナー画像を重ねてフルカラー画像を得る。次いで二次転写ローラ２８により、給紙部６ｂから搬送される記録紙Ｐに転写ベルト２１上のフルカラートナー画像を二次転写し、定着装置３０により定着して記録紙Ｐ上にカラー画像を完成し排紙部２４に集積する。
【００２８】
このプリンタ部６ａの画像形成プロセスの間、ハウジング７は、リボルバ型現像ユニット６０の回転時の衝撃等により振動を生じスキャナ支持フレーム７ｃも振動する。しかしながらスキャナ支持フレーム７ｃの振動は、第１乃至第６のシリコン緩衝材８７ａ、８７ｂ、８７ｃ、８７ｄ、８７ｅ、８７ｆに伝達されるものの、第１乃至第６のシリコン緩衝材８７ａ、８７ｂ、８７ｃ、８７ｄ、８７ｅ、８７ｆの弾性変形により、スキャナ６ｃの筐体８１への伝達は防止される。
【００２９】
特に第３のシリコン緩衝材８７ｃにあっては、スキャナ６ｃのオプションとして原稿押さえカバー７０あるいはＡＤＦ８６のいずれを選択するかにより、その歪み量が異なる。但し調整ブラケット７２の離間ネジ７７を止め直して下ブラケット７４を垂直方向にスライド移動する事により、第３のシリコン緩衝材８７ｃの歪み量の違いを補償出来、筐体８１上面とスキャナ支持フレーム７ｃ周縁との間の板状の第６のシリコン緩衝材８７ｆによる緩衝力を損なうことなく、スキャナ６ｃへの振動の伝達は確実に防止される。
【００３０】
尚、画像形成装置６を使用する間に、例えば、原稿押さえカバー７０をＡＤＦ８６に交換する必要を生じた場合には、交換メンテナンス時に離間ネジ７７を第２及び第３のネジ穴７３ｃ、７４ａから外して、上ブラケット７３の第１のネジ穴７３ｂに止め直して、ハウジング７に対するスキャナ６ｃの位置調整を行う。あるいはＡＤＦ８６を原稿押さえカバー７０に交換する必要を生じた場合には、交換メンテナンス時に離間ネジ７７を第１のネジ穴７３ｂから外して、第２及び第３のネジ穴７３ｃ、７４ａに止め直して、ハウジング７に対するスキャナ６ｃの位置調整を行う。
【００３１】
以上詳述したように本実施例によれば、スキャナ６ｃを画像形成装置６のハウジング７内に一体的に組み込む場合、原稿押さえカバー７０装着時あるいはＡＤＦ８６装着時とでスキャナ６ｃの荷重が大きい左リア側８１ｃに設けられる調整ブラケット７２の離間ネジ７７のネジ止め位置を変えるのみで、調整ブラケット７２による筐体８１の支持高さを調整出来る。従って、原稿押さえカバー７０あるいはＡＤＦ８６のいずれを選択した場合の、第３の緩衝材８７ｃの歪みの違いに関わらず、ハウジング７内におけるスキャナ６ｃの高さを一定に保持出来、筐体８１上面と、スキャナ支持フレーム７ｃ周縁との段差を適量に保持出来る。この結果ＡＤＦ８６による原稿Ｄ送りをスムースに行え、スキャナ６ｃの信頼性向上を得られると共に、各シリコン緩衝材８７ａ〜８７ｆによる緩衝力が損なわれることなく、ハウジング７の振動に関わらず、一体的に組込まれるスキャナ６ｃへの振動の伝達を防止出来、スキャナ６ｃにより原稿画像を高精度に読取ることが出来る。
【実施例２】
【００３２】
図１１に本発明の実施例２を示す。本実施例は、実施例１においてスキャナの左リア側の調整ブラケットの構造を変えたものである。実施例１と同一部分については同一符号を付しその説明を省略する。調整ブラケット９２は、筐体８１側面に固着される固定部である上ブラケット９２ａと、上ブラケット９２ａに取付けられ垂直方向にスライドされる可動部である下ブラケット９２ｂからなっている。
【００３３】
実施例１と同様、下ブラケット９２ｂは段付きネジ７６にガイドされ上ブラケット９２ａに対して垂直方向にスライド可能となっている。上ブラケット９２ａと下ブラケット９２ｂは、付勢部材であるスプリング９３により常に離間する方向に付勢力を受けている。又スプリング９３の付勢力に抗して、接触ネジ９４にネジ止めされることにより上ブラケット９２ａと下ブラケット９２ｂは密着可能とされる。接触ネジ９４でネジ止めして上ブラケット９２ａと下ブラケット９２ｂを密着する事により調整ブラケット９２に支持される筐体８１の高さは低くなる。
【００３４】
又、接触ネジ９４を外すことにより上ブラケット９２ａと下ブラケット９２ｂはスプリング９３により離間され、調整ブラケット９２に支持される筐体８１の高さは高くなる。従って、スキャナ６ｃに原稿押さえカバー７０を装着する場合は、上ブラケット９２ａと下ブラケット９２ｂを接触ネジ９４でネジ止めし、筐体８１の支持位置を低くする。一方、スキャナ６ｃにＡＤＦ８６を装着する場合は、接触ネジ９４を外して、筐体８１の支持位置を高くし、原稿押さえカバー７０あるいはＡＤＦ８６のいずれの装着時に関わらず、筐体８１上面の原稿台８０と、筐体８１周縁のスキャナ支持フレーム７ｃとの段差を適量に保持する。
【００３５】
本実施例によれば、接触ネジ９４をネジ止めし、あるいは接触ネジ９４を外すのみで、調整ブラケット９２による筐体８１の支持高さを調整出来る。従って実施例１と同様、原稿押さえカバー７０あるいはＡＤＦ８６のいずれを選択した場合にも筐体８１上面と、スキャナ支持フレーム７ｃ周縁との段差を適量に保持出来、ＡＤＦ８６によるスムースな原稿Ｄ送りによりスキャナ６ｃの信頼性向上を得られると共に、各シリコン緩衝材８７ａ〜８７ｆにより、ハウジング７からスキャナ６ｃへの振動の伝達を防止出来、スキャナ６ｃにより原稿画像を高精度に読取ることが出来る。
【実施例３】
【００３６】
図１２に本発明の実施例３を示す。本実施例は、実施例１においてスキャナの左リア側の調整ブラケットの構造を変えたものである。実施例１と同一部分については同一符号を付しその説明を省略する。調整ブラケット９６は、筐体８１側面に固着される固定部である上ブラケット９６ａと、上ブラケット９６ａに取付けられ垂直方向にスライドされる可動部である下ブラケット９６ｂからなっている。
【００３７】
実施例１と同様、下ブラケット９６ｂは段付きネジ７６にガイドされ上ブラケット９６ａに対して垂直方向にスライド可能となっている。スキャナ６ｃに原稿押さえカバー７０を装着する場合は、上ブラケット９６ａと下ブラケット９６ｂは、筐体８１の荷重により密接され、筐体８１の支持位置を低くする。一方、スキャナ６ｃにＡＤＦ８６を装着する場合は、上ブラケット９６ａと下ブラケット９６ｂのガイド状の端部９７から、上ブラケット９６ａ及び下ブラケット９６ｂ間に、離間部材であるくさび型のスペーサ９８を差し込み、上ブラケット９６ａと下ブラケット９６ｂを離間して、筐体８１の支持位置を高くする。これにより原稿押さえカバー７０あるいはＡＤＦ８６のいずれの装着時に関わらず、筐体８１上面の原稿台８０と、筐体８１周縁のスキャナ支持フレーム７ｃとの段差を適量に保持する。
【００３８】
本実施例によれば、スペーサ９８を上ブラケット９６ａ及び下ブラケット９６ｂ間に差し込みあるいは、スペーサ９８を抜いておくのみで、調整ブラケット９６による筐体８１の支持高さを調整出来る。従って実施例１と同様、原稿押さえカバー７０あるいはＡＤＦ８６のいずれを選択した場合にも筐体８１上面と、スキャナ支持フレーム７ｃ周縁との段差を適量に保持出来、ＡＤＦ８６によるスムースな原稿Ｄ送りによりスキャナ６ｃの信頼性向上を得られると共に、各シリコン緩衝材８７ａ〜８７ｆにより、ハウジング７からスキャナ６ｃへの振動の伝達を防止出来、スキャナ６ｃにより原稿画像を高精度に読取ることが出来る。
【００３９】
尚本発明は、上記実施例に限られるものではなく、本発明の範囲内で種々変更可能であり、画像形成装置の構造等任意であるし、スキャナの画像センサの画素サイズやライン数等限定されない。
【００４０】
又緩衝材は限定されずその材質はシリコンに限定されないし、その硬度も、緩衝材にかかる負荷に応じて任意である。更に、調整ブラケットは、筐体の支持高さを調整出来るものであればその構造は限定されないし、調整ブラケットの取付け位置は、原稿押さえカバーを取付けた場合と自動原稿送り装置を取付けた場合のスキャナの筐体に生じる荷重バランスや、原稿押さえカバーと自動原稿送り装置の重量差によって任意であり、例えば、自動原稿送り装置の全体が重い場合等に有っては、筐体の荷重を支持する複数の緩衝材の幾つかあるいは全てを調整ブラケットを用いて取付ける等しても良い。
【図面の簡単な説明】
【００４１】
【図１】本発明の実施例１の画像形成装置を概略的に示す構成図である。
【図２】本発明の実施例１のスキャナ及び原稿押さえカバーを概略的に示す構成図である。
【図３】本発明の実施例１の筐体のスキャナ支持フレームへの取付けを示す概略説明図である。
【図４】本発明の実施例１の筐体及びシリコン緩衝材を分散して示す概略斜視図である。
【図５】本発明の実施例１の筐体のリア側及び調整ブラケットを示す一部概略斜視図である。
【図６】本発明の実施例１の調整ブラケットの離間ネジを分散して示す概略斜視図である。
【図７】本発明の実施例１の調整ブラケットの段付きネジ部分を示す一部断面図である。
【図８】本発明の実施例１の調整ブラケットの段付きネジ部分を示す一部を透視した概略側面図である。
【図９】本発明の実施例１の離間ネジを第２及び第３のネジ穴にネジ止めした調整ブラケットを示す一部断面図である。
【図１０】本発明の実施例１の離間ネジを第１のネジ穴にネジ止めした調整ブラケットを示す一部断面図である。
【図１１】本発明の実施例２の調整ブラケットを示す概略説明図である。
【図１２】本発明の実施例３の調整ブラケットを示す概略説明図である。
【符号の説明】
【００４２】
６…画像形成装置
６ａ…プリンタ部
６ｂ…給紙部
６ｃ…スキャナユニット
７…ハウジング
７ｃ…スキャナ支持フレーム
１０…感光体ドラム
１２…帯電装置
１３…レーザ露光装置
１４…ブラック現像装置
１６〜１８…イエロー（Ｙ）、マゼンタ（Ｍ）、シアン（Ｃ）現像器
２１…転写ベルト
２４…排紙部
２５…反転搬送装置
２７…レジストローラ
２８…二次転写ローラ
６０…リボルバ型現像ユニット
７０…原稿押さえカバー
７２…調整ブラケット
７３…上ブラケット
７３ａ…長穴
７３ｂ、７３ｃ…第１及び第２のネジ穴
７４…下ブラケット
７４ａ…第３のネジ穴
７６…段付きネジ
７７…離間ネジ
８０…原稿台
８１…筐体
８２…光学系ユニット
８３…集光レンズ
８４…４ラインＣＣＤセンサ
８６…ＡＤＦ
８７ａ〜８７ｆ…第１乃至第６のシリコン緩衝材
８８ｂ、８８ｄ…ブラケット
９０…シリコン補助緩衝材
【図１】
2005123777.tif 000003
【図２】
2005123777.tif 000004
【図３】
2005123777.tif 000005
【図４】
2005123777.tif 000006
【図５】
2005123777.tif 000007
【図６】
2005123777.tif 000008
【図７】
2005123777.tif 000009
【図８】
2005123777.tif 000010
【図９】
2005123777.tif 000011
【図１０】
2005123777.tif 000012
【図１１】
2005123777.tif 000013
【図１２】
2005123777.tif 000014